(57)【要約】【課題】  簡単な部品を追加して、光ディスクの傷つきを減少させ長期間安定して記録または再生が行える情報記録再生装置を提供する。【解決手段】  位置変更部９は、内部の強磁性体１３およびクランパ４と吸着する吸着面１４を有する板状の吸着部１５と、吸着部１５を支える同じ大きさの４つのクランク１６を備える。カバー８は、４つの支持点１７を有する。吸着部１５は、吸着面１４に垂直な対向する２つの各側面１８の長手方向の各両端付近に支持点１９を有する。各クランク１６の一端は、カバー８が有する支持点１７で連結され、他端は、吸着部１５が有する支持点１９で連結される。クランク１６は、各支持点を中心として回転できる。水平設置状態で、各クランク１６は、カバー８および吸着部１５に対して垂直になるように設置される。【選択図】図２（ａ）
2005071446.tif 000002
【特許請求の範囲】
【請求項１】
記録媒体に対する情報の記録および再生の少なくともいずれかを行う情報記録再生装置において、
強磁性体を有し、記録媒体を回転させる回転手段と、
磁石を有し、前記回転手段に当該記録媒体を固定する固定手段と、
前記回転手段が有する強磁性体と前記固定手段が有する磁石とが吸引し合い前記回転手段と前記固定手段との間に前記記録媒体が保持される保持位置と、前記回転手段と前記固定手段との間隔が開いて前記記録媒体の固定が解除される保持解除位置との間で、前記回転手段を移動させる回転側移動手段と、
設置状態に応じて前記固定手段の前記回転手段に対する位置を変化させる固定側移動手段とを備える情報記録再生装置。
【請求項２】
前記固定側移動手段は、重力を利用したつりあい方式により支えられた、強磁性体を持つ吸着部を有し、
前記回転手段が前記記録媒体を水平面内で回転させる場合には前記吸着部と前記固定手段との距離を小さくして前記吸着部と前記固定手段とを吸着させ、前記回転手段が前記記録媒体を垂直面内で回転させる場合には前記吸着部と前記固定手段との距離を大きくして前記吸着部と前記固定手段とを吸着させないことを特徴とする請求項１に記載の情報記録再生装置。
【請求項３】
前記固定側移動手段は、
前記吸着部と、
所定の角度範囲内における回転の中心となる接続点を両端に持ち一方の接続点は前記情報記録再生装置を覆う外枠に接続され他方の接続点は前記吸着部の両端に接続された少なくとも２つの同じ長さのクランクとを有することを特徴とする請求項２に記載の情報記録再生装置。
【請求項４】
前記固定側移動手段は、
前記吸着部と、
前記情報記録再生装置を覆う外枠から突き出るように設置された２つの支持片と、
前記吸着部の対向する２つの側面に配置され、それぞれ一端が前記支持片に接続され、他端が前記吸着部に接続された２つの弾性体とを有することを特徴とする請求項２に記載の情報記録再生装置。
【発明の詳細な説明】
【技術分野】
【０００１】
この発明は、設置状態に応じて光ディスクを安定かつ安全に保持する情報記録再生装置に関する。
【背景技術】
【０００２】
情報記録媒体、例えば光ディスク等を回転させて情報を記録し、記録された情報を再生する情報記録再生装置は、搭載されるパーソナルコンピュータ等の情報機器の形状に依存して異なる状態で設置される。設置状態には、大きく分けて、情報記録媒体を水平に回転させる水平設置状態と、垂直に回転させる垂直設置状態との２種類がある。
【０００３】
また、情報記録再生装置には、ユーザ等による交換の際には情報記録媒体を外部に排出し、記録または再生のために情報記録媒体を内部に搬入するトレーを備えるものがある。このような情報記録再生装置は、情報記録媒体が内部に搬入された状態において、記録または再生のために情報記録媒体を保持してトレーから離した第１位置と、交換等のために情報記録媒体の保持を解除した第２位置とを移動（いわゆるローディング動作）させるローディング機構を備える。
【０００４】
水平設置状態で第１位置にある従来の情報記録再生装置の断面図を図６（ａ）に示す。この情報記録再生装置３１は、回転装置３２と、回転装置保持部３と、クランパ３３と、クランパホルダ５と、トレー６と、支持台７と、カバー３４とを備える。回転装置３２は、内部に強磁性体３５を有し、光ディスク１０の一面を支え、スピンドルモータ等により光ディスク１０を回転させる。回転装置保持部３は、回転装置３２を搭載して、光ディスク１０を保持する位置と光ディスク１０の保持を解除する位置との間を移動させる。クランパ３３は、内部に磁石３６を有し、回転装置３２が支える面と逆の面から光ディスク１０を支える。クランパホルダ５は、回転装置３２の回転軸とクランパ３３の中心軸とが一致するように、かつ、クランパ３３をその中心軸方向に移動可能に保持する。トレー６は、交換時等に光ディスク１０を載せて、光ディスク１０を情報記録再生装置３１の外部に搬出し、または内部に搬入する。支持台７は、トレー６を支持する。カバー３４は、情報記録再生装置３１の全体を覆うように形成される。
【０００５】
図６（ａ）に示される第１位置では、回転装置保持部３が回転装置３２を光ディスク１０を保持する位置に移動させる。これに伴い、磁気回路を構成する強磁性体３５と磁石３６との吸引力が大きくなり、クランパ３３が回転装置３２側に吸引され、光ディスク１０が両者の間に挟まれて保持される。回転装置保持部３は、回転装置３２をトレー６から離れた位置まで移動させる。第１位置においては、光ディスク１０は回転装置３２とクランパ３３とに挟まれて安定して保持されるため、設置状態に依存した問題は特に存在しない。
【０００６】
第２位置では、図６（ｂ）に示すように、回転装置保持部３が回転装置３２を光ディスク１０の保持を解除する位置に移動させる。これに伴い、光ディスク１０から回転装置３２が引き離され、トレー６付近で光ディスク１０の保持が解除される。
【０００７】
図６（ｂ）に示す水平設置状態では、クランパ３３は、重力に引かれて光ディスク１０に近づく方向に移動し、クランパホルダ５によって留められる位置で停止する。光ディスク１０は、重力によりトレー６に載る。この場合、クランパ３３が光ディスク１０に接触して光ディスク１０の表面に傷をつけるおそれがある。
【０００８】
一方、図６（ｃ）に示す垂直設置状態では、クランパ３３を回転装置３２に近づける力が働かず、クランパ３３は自由な位置に留められる。そのため、光ディスク１０をトレー６に押さえる力が働かず、クランパ３３と光ディスク１０との距離が開いて光ディスクの位置が不安定になりやすい。従って、トレーを利用する情報記録再生装置においては、光ディスクがトレーに安定して載らず、トレー外に落下する等の障害が発生するおそれがある。
【０００９】
特許文献１では、水平設置状態での第２位置において、クランパが光ディスクに接触して光ディスクの表面に傷をつける問題を解決する情報記録再生装置３７が提案されている。この情報記録再生装置のクランプ周辺の断面図を図７（ａ）および図７（ｂ）に示す。水平設置状態での第１位置における断面図を図７（ａ）に示し、水平設置状態での第２位置における断面図を図７（ｂ）に示す。図７（ａ）に示す第１位置おいては、回転装置保持部３が回転装置３８を光ディスク１０に近づく方向に移動させる。これに伴い、クランパ３９が備える磁石４０と回転装置３８との吸引力が、クランパ３９が備える磁石４０と磁性体であるカバー４１との吸引力より大きくなり、クランパ３９が回転装置３８側に吸引され、光ディスク１０が両者の間に挟まれて保持される。図７（ｂ）に示す第２位置おいては、回転装置保持部３は、回転装置３８を光ディスク１０から離れる方向に移動させる。この場合、クランパ３９が備える磁石４０と回転装置３８との吸引力は比較的弱いのに対し、クランパ３９が備える磁石４０と磁性体であるカバー４１との吸引力は比較的強い。そのため、クランパ３９はカバー４１に吸着し、搬入または搬出される光ディスク１０に接触せず表面を傷つけない。しかし、垂直設置状態での第２位置において、光ディスクの位置が安定しない問題が残る。
【００１０】
垂直設置状態での第２位置において、光ディスクの位置を安定させるための情報記録再生装置の断面図を図８（ａ）および図８（ｂ）に例示する。垂直設置状態における第２位置を図８（ａ）に、水平設置状態における第２位置を図８（ｂ）に示す。この情報記録再生装置４２においては、クランパホルダ４３は、その材質を強磁性体とし、クランパ４４は、クランパホルダ４３と接する部分に磁石４５を備える。図８（ａ）に示す垂直設置状態での第２位置において、磁石４５とクランパホルダ４３との吸引力により、クランパ４４がクランパホルダ４３に吸引されて固定される。このため、クランパ４４の位置が安定するため、光ディスク１０は、比較的安定してトレー６に載る。しかし、図８（ｂ）に示す水平設置状態での第２位置においても、クランパ４４が光ディスク１０に強く接触する。そのため、光ディスク１０に微少な傷をつける可能性が残る。この問題は、両面に記録または再生できる光ディスクでは、特に大きな問題となる。
【特許文献１】特開２００１−３５１２９１号公報
【発明の開示】
【発明が解決しようとする課題】
【００１１】
すなわち、水平設置状態における光ディスクの損傷を防止するため、クランパを光ディスクから退避させると、垂直設置状態における光ディスクの落下が問題となる。一方、垂直設置状態における光ディスクの落下を防止するため、クランパを光ディスクに近づけると、水平設置状態における光ディスクの損傷を招く。それゆえに、本発明は、設置状態に応じて光ディスクを安定かつ安全に保持する情報記録再生装置を提供することを目的とする。
【課題を解決するための手段】
【００１２】
この発明に係る情報記録再生装置は、記録媒体に対する情報の記録および再生の少なくともいずれかを行う情報記録再生装置において、強磁性体を有し、記録媒体を回転させる回転手段と、磁石を有し、回転手段に記録媒体を固定する固定手段と、回転手段が有する強磁性体と固定手段が有する磁石とが吸引し合い回転手段と固定手段との間に記録媒体が保持される保持位置と、回転手段と固定手段との間隔が開いて記録媒体の固定が解除される保持解除位置との間で、回転手段を移動させる回転側移動手段と、設置状態に応じて固定手段の回転手段に対する位置を変化させる固定側移動手段とを備える。
【００１３】
固定側移動手段は、重力を利用したつりあい方式により支えられた、強磁性体を持つ吸着部を有し、回転手段が記録媒体を水平面内で回転させる場合には吸着部と固定手段との距離を小さくして吸着部と固定手段とを吸着させ、回転手段が記録媒体を垂直面内で回転させる場合には吸着部と固定手段との距離を大きくして吸着部と固定手段とを吸着させない。
【００１４】
固定側移動手段は、吸着部と、所定の角度範囲内における回転の中心となる接続点を両端に持ち一方の接続点は情報記録再生装置を覆う外枠に接続され他方の接続点は吸着部に接続された少なくとも２つの同じ長さのクランクとを有する。または、固定側移動手段は、吸着部と、情報記録再生装置を覆う外枠から突き出るように設置された２つの支持片と、吸着部の対向する２つの側面に配置され、それぞれ一端が支持片に接続され、他端が吸着部に接続された２つの弾性体とを有する。
【発明の効果】
【００１５】
簡単な部品を追加することで、垂直設置状態においては光ディスクを安定してトレーに載せ、水平設置状態においては光ディスクを損傷させず安全にトレーに載せることができる。
【発明を実施するための最良の形態】
【００１６】
光ディスクを水平に回転させる水平設置状態での情報記録再生装置の断面図を図１（ａ）に、光ディスクを垂直に回転させる垂直設置状態での情報記録再生装置の断面図を図１（ｂ）に示す。この情報記録再生装置１は、回転装置２と、回転装置保持部３と、クランパ４と、クランパホルダ５と、トレー６と、支持台７と、カバー８と、位置変更部９とを備える。
【００１７】
回転装置２は、内部に強磁性体１１を有し、光ディスク１０の一面を支え、スピンドルモータ等により光ディスク１０を回転させる。回転装置保持部３は、回転装置２を搭載して、光ディスク１０を保持する位置と光ディスク１０の保持を解除する位置との間を移動させる。クランパ４は、内部に磁石１２を有し、回転装置２が支える面と逆の面から光ディスク１０を支える。クランパホルダ５は、回転装置２の回転軸とクランパ４の中心軸とが一致するように、かつ、クランパ４をその中心軸方向に移動可能に保持する。トレー６は、交換時等に光ディスク１０を載せて、光ディスク１０を情報記録再生装置１の外部に搬出し、または内部に搬入する。支持台７は、トレー６を支持する。カバー８は、情報記録再生装置１の全体を覆うように形成される。
【００１８】
位置変更部９は、重力を利用したつりあい方式を用いた機構により支えられた、強磁性体１３を有する吸着部を備え、水平設置状態であるか垂直設置状態であるかに依存して、第２位置におけるクランパ４の位置を変更する。つりあい方式とは、設置状態に応じて吸着部の位置を移動させつつ所定の位置に安定させる方式である。第２位置において、水平設置状態ではクランパ４を吸着して光ディスク１０から遠ざけ、垂直設置状態ではクランパ４を吸着せず光ディスク１０に近づける。位置変更部９として、例えば、平行リンク機構やばね機構などがある。これらの例では、位置変更部９が強磁性体１３を備え、磁石１２と強磁性体１３との距離を変化させる。これにより、両者間の磁気ギャップが変化して吸引力が変化し、クランパ４は位置変更部９を吸着し、または吸着させない。平行リンク機構を用いた位置変更部９の構造を図２に示す。
【００１９】
図２（ａ）において、平行リンク機構を用いた位置変更部９は、内部の強磁性体１３およびクランパ４と吸着する吸着面１４を有する板状の吸着部１５と、吸着部１５を支える同じ大きさの４つのクランク１６を備える。カバー８は、４つの支持点１７を有する。吸着部１５は、吸着面１４に垂直な対向する２つの各側面１８の長手方向の各両端付近に支持点１９を有する。各クランク１６の一端は、カバー８が有する支持点１７で連結され、他端は、吸着部１５が有する支持点１９で連結される。
【００２０】
クランク１６は、各支持点を中心として回転できる。水平設置状態で、各クランク１６は、カバー８および吸着部１５に対して垂直になるように設置される。この構造により、吸着部１５は、クランパ４の面であって吸着部１５方向にある面に対して吸着面１４を平行を保ったまま、重力に引かれて移動する。位置変更部９が、吸着部１５の平行を保ったまま動く様子を図２（ｂ）に示す。
【００２１】
図１（ａ）および図１（ｂ）に示される第１位置では、回転装置保持部３が回転装置２を、光ディスク１０に近づく方向に、光ディスク１０を保持する位置まで移動させる。図１（ａ）に示される水平設置状態では、吸着部１５が重力に引かれてクランク１６とカバー８とが垂直になり、吸着部１５はクランパ４に距離Ｄ１まで近づく。これに対し、図１（ｂ）に示される垂直設置状態では、吸着部１５が重力に引かれてクランク１６がカバー８に対して傾き、吸着部１５はクランパ４から距離Ｄ２まで遠ざかる。距離Ｄ１は距離Ｄ２よりも小さいが、水平設置状態と垂直設置状態とのいずれの状態でも、第１位置では、クランパ４と吸着部１５との吸引力よりも、回転装置２とクランパ４との吸引力の方が大きくなるように、強磁性体１１、磁石１２および強磁性体１３の強さが決定される。そのため、クランパ４が回転装置２側に吸引され、光ディスク１０が両者の間に挟まれて保持される。回転装置保持部３は、回転装置２をトレー６から離れた位置まで移動させる。
【００２２】
水平設置状態での第２位置にある情報記録再生装置の断面図を図３（ａ）に、垂直設置状態での第２位置にある情報記録再生装置の断面図を図３（ｂ）に示す。第２位置では、回転装置保持部３が回転装置２を、光ディスク１０から離れる方向に、光ディスク１０の保持を解除する位置まで移動させる。これに伴い、光ディスク１０から回転装置２が引き離され、トレー６付近で光ディスク１０の保持が解除される。図３（ａ）に示す水平設置状態では、クランパ４と吸着部１５との距離Ｄ１が比較的小さいため、クランパ４に加わる重力よりも吸着部１５に吸引される力が大きく、クランパ４は吸着部１５に吸着される。一方、図３（ｂ）に示す垂直設置状態では、クランパ４と吸着部１５との距離Ｄ２が比較的大きいため、クランパ４は吸着部１５に引き寄せられない。磁石１２および強磁性体１３の強さはこのような条件を満たすように決定される。
【００２３】
このような磁気回路の設計により、水平設置状態での第２位置において、クランパ４は、水平リンク１５に引かれて上方に退避するため、光ディスク１０に接触して傷をつけることを防止できる。また、垂直設置状態での第２位置において、クランパ４は、水平リンク１５に引かれないため、光ディスク１０およびトレー６付近に留まり、光ディスク１０を安定してトレー６に載せることができる。
【００２４】
なお、垂直設置状態での第２位置では、強磁性体１１と磁石１２とが引き合い、クランパ４が回転装置２に引き寄せられる構成とする。これにより、クランパ４が光ディスク１０をトレー６に近づけることができ、光ディスク１０がトレー６から落下することを防止できる。クランパ４の光ディスク１０に接触する面にテーパーを設けることで、光ディスク１０と接触してもスムーズに搬入または搬出が行える。
【００２５】
さらに、図４に示される情報記録再生装置２０のように、クランパホルダ２１の材質を強磁性体とし、クランパ２２は、クランパホルダ２１と接する部分に磁石２３を備えてもよい。垂直設置状態での第２位置において、磁石２３とクランパホルダ２１との吸引力により、クランパ２２がクランパホルダ２１に吸引されて固定される。このため、クランパ２２の位置が安定するため、光ディスク１０は安定してトレー６に載る。
【００２６】
なお、位置変更部９としてばねやベローズ等の弾性体を用いた伸縮機構２４を用いてもよい。ばねを用いた伸縮機構の構造図を図５に示す。伸縮機構２４は、内部に強磁性体１３を有し、クランパ４と吸着する吸着面２５を有する吸着部２６と、吸着部２６の中心を貫通し吸着面２５と平行な棒状のガイド２７と、吸着部２６の両側にそれぞれ接続されガイド２７に沿ってガイド２７の周囲を囲むように取り付けられた同一形状のばね２８およびばね２９と、カバー８に取り付けられ、ガイド２７の両端および、ばね２８、ばね２９の一端を支える支持片３０とを備える。
【００２７】
水平設置状態においては、図３（ａ）のように、吸着部２６は、ばね２８およびばね２９の力によりガイド２７の中心に保持される。これにより、吸着部２６とクランパ４との距離が小さくなり、強磁性体１３を備える吸着部２６と磁石１２を備えるクランパ４との吸引力が大きくなり、吸着部２６にクランパ４が吸着される。
【００２８】
一方、垂直設置状態においては、図３（ｂ）のように、吸着部２６に加わる重力により、下部のばね２８は縮み、上部のばね２９は伸びる。そのため、吸着部２６は、ガイド２７の中心から離れた位置で安定する。これにより、吸着部２６とクランパ４との距離が大きくなり、磁性体１３を備える吸着部２６と磁石１２を備えるクランパ４との吸引力よりも、磁石１２を備えるクランパ４と強磁性体１１を備える回転装置２との吸引力の方が大きくなるため、クランパ４は回転装置２側に引き寄せられる。
【００２９】
なお、回転装置および位置変更部が磁石を備え、クランパが強磁性体を備えてもよい。クランパが磁石を備える場合には位置変更部に強磁性体を備え、クランパが強磁性体である場合には位置変更部に磁石を備える。また、用いられる磁石は、クランパに磁石を備える場合は１つであり、クランパを強磁性体とする場合は２つである。そのため、クランパに磁石を備えるほうが、実施が容易となる。またさらに、位置変更部は、水平設置状態での第１位置においてはクランパを吸引し、垂直設置状態での第２位置においてはクランパを吸引しない構造を有すれば、他の構造に置き換えてもよい。
【図面の簡単な説明】
【００３０】
【図１】第１位置にある情報記録再生装置の断面図である。
【図２（ａ）】平行クランク機構の構造図である。
【図２（ｂ）】平行クランク機構の動作図である。
【図３】第２位置にある情報記録再生装置の断面図である。
【図４】第２位置にある他の情報記録再生装置の断面図である。
【図５】ばね機構の構造図である。
【図６（ａ）】水平設置状態で第１位置にある従来の情報記録再生装置の断面図である。
【図６（ｂ）】水平設置状態で第２位置にある従来の情報記録再生装置の断面図である。
【図６（ｃ）】垂直設置状態で第２位置にある従来の情報記録再生装置の断面図である。
【図７】水平設置状態での従来の情報記録再生装置の断面図である。
【図８】第２位置にある従来の情報記録再生装置の断面図である。
【符号の説明】
【００３１】
１；情報記録再生装置、２；回転装置、３；回転装置保持部、４；クランパ、５；クランパホルダ、６；トレー、７；支持台、８；カバー、９；位置変更部、１０；光ディスク、１１；強磁性体、１２；磁石、１３；強磁性体、１４；吸着面、１５；吸着部、１６；クランク、１７；接続点、１８；側面、１９；支持点、２０；情報記録再生装置、２１；クランパホルダ、２２；クランパ、２３；磁石、２４；伸縮機構、２５；吸着面、２６；吸着部、２７；ガイド、２８；ばね、２９；ばね、３０；支持片、Ｄ１；距離、Ｄ２；距離
【図１】
2005071446.tif 000003
【図２（ａ）】
2005071446.tif 000004
【図２（ｂ）】
2005071446.tif 000005
【図３】
2005071446.tif 000006
【図４】
2005071446.tif 000007
【図５】
2005071446.tif 000008
【図６（ａ）】
2005071446.tif 000009
【図６（ｂ）】
2005071446.tif 000010
【図６（ｃ）】
2005071446.tif 000011
【図７】
2005071446.tif 000012
【図８】
2005071446.tif 000013